(57)【要約】【課題】レール本体１０と傾斜部材１１とを備えた床置き式ガイドレール９において、レール本体１０の端片部１０ｃの下端縁１０ｄが、凹溝状のガイド部１０ａの溝底片１０ｅよりも高いものにおいて、該端片部１０ｃを溶接したりしないで支持するようにする。【解決手段】傾斜部材１１を構成するベース部材１２に、端片部下端縁１０ｄが上側から当接して該端片部１０ｃの支持をする支持片部１２ｈと、支持片部１２ｈから垂下して床面Ｆに当接する補助脚片１２ｉと、レール本体頂片部と同高さとなる状態で頂片部に隣接するガイド片１２ａと、該ガイド片１２ａから端片部１０ｃの前後方向外側面に当接して端片部１０ｃの支持をする第一脚片１２ｆとを設けたものである。【選択図】図３
2018035552.tif 000002
【特許請求の範囲】
【請求項１】
左右方向に開閉移動する引き戸式の戸体の下框から垂下される被ガイド体を前後方向に振れ止めする状態でガイドするべく床面上に設置される床置き式ガイドレールであって、該ガイドレールを、被ガイド体がガイドされる凹溝状のガイド部、該ガイド部の前後両上端縁から前後方向外方に向けて延設する頂片部、該頂片部の前後両端縁から下方に向けて垂下する端片部を備えて構成されるレール本体と、該レール本体の前後方向両側に配され、頂片部に隣接する前後方向内端縁が該頂片部の高さとなり、前後方向外端縁が床面にまで至るよう傾斜した傾斜部材とを備えて構成すると共に、前記端片部の下端縁を、ガイド部の溝底片よりも高位になるよう設定してなる床置き式ガイドレールにおいて、該ガイドレールには、前記端片部の下端縁が上側から当接することで該端片部の支持をするための支持片部が設けられていることを特徴とする床置き式ガイドレール。
【請求項２】
支持片部には、床面に当接する補助脚片が設けられていることを特徴とする請求項１記載の床置き式ガイドレール。
【請求項３】
傾斜部材には、レール本体頂片部と同高さとなる状態で頂片部に隣接するガイド片が形成され、該ガイド片には、床面に当接する第一脚片が設けられ、該第一脚片に支持片部が一体に設けられていることを特徴とする請求項１または２記載の床置き式ガイドレール。
【請求項４】
第一脚片は、端片部の前後方向外側面に当接することで該端片部の支持をしていることを特徴とする請求項３記載の床置き式ガイドレール。
【請求項５】
支持片部および補助脚片は、第一脚片からガイド部側に向けて逆Ｌ字状に延出形成されていることを特徴とする請求項２、３または４記載の床置き式ガイドレール。
【請求項６】
傾斜部材は、レール本体頂片部と同高さとなる状態で頂片部に隣接するガイド片および該ガイド片から端片部の前後方向外側面に当接するよう垂下して該端片部の支持をする第一脚片が設けられるベース本体部と、端片部の下端縁が上側から当接する支持片部および第一脚片が上側から当接することで該第一脚片を支持する第二の支持片部を有したレール受け部とを備えて構成されていることを特徴とする請求項１記載の床置き式ガイドレール。
【請求項７】
傾斜部材は、端片部の下端縁が上側から当接することで該端片部を支持する支持片部と、該支持片部から端片部の少なくとも前後方向一側面に当接するよう上側に突出して該端片部の支持をする支持面部と、支持片部から床面に当接するようにして設けられる脚片とを備えて構成されることを特徴とする請求項１記載の床置き式ガイドレール。
【発明の詳細な説明】
【技術分野】
【０００１】
本発明は、戸体の下部に配設され、戸体の左右移動による開口部の開閉をガイドするための床置き式ガイドレールに関する。
【背景技術】
【０００２】
一般に、左右方向にスライド移動させることで開口部を開閉させる引き戸式の戸体を設ける場合、戸体の左右方向へのスライド移動をガイドするため凹溝状のガイドレールを開口部の床部に設けることがある。そして一般的にこのようなガイドレールは、床上に突出させず、床に埋め込んで設置されることが多い。しかし、ガイドレールを床に埋め込んで設置するにあたっては、まず床部をはつり、そのはつった箇所にガイドレール設置用のガイド部材を埋め込むと共に、該ガイド部材を下地材等に溶接する等して固定した後、はつって穴状になった箇所にモルタルを充填して埋める、というような多数の工程が必要となる。そのため、設置作業に多くの労力が必要となり、コストや時間がかかってしまうという問題がある。
このようなガイドレールを床に埋め込む「埋め込み式」のものに対して、ガイドレールを床上に設置することで設置工程を低減させた所謂「床置き式」のものがあるが、このものは、レール本体の共通化を図るため、前記埋込み式のレール本体と同じものを床面に配設すると共に、レール本体の前後両側に、レール本体と隣接する状態で傾斜部材を設けてガイドレール全体を側面視で山形状とし、これによって床上にガイドレールを設置した場合であっても、ガイドレールに通行人が躓いたり、台車が引っ掛かったりしないよう配慮されている（例えば特許文献１参照。）。
【先行技術文献】
【特許文献】
【０００３】
【特許文献１】特開２０１５−２０３２５５号公報
【発明の概要】
【発明が解決しようとする課題】
【０００４】
ところで前記従来のものは、埋込み式と床置き式とで共通したレール本体を用い、部品の兼用化を図っているが、このレール本体は、凵溝状のガイド部と、該ガイド溝の両上端縁から前後方向平板状に延設する頂片部と、該頂片部の前後両端縁から下方に向けて折曲する端片部とを備えて構成されている。レール本体にこの端片部がない場合、ガイドレールを埋込み式としたとき頂片部の前後両端縁側を支持するものがなく不安定化することになり、そこで頂片部の前後両端縁に端片部を設け、頂片部の前後両端側を床面内に埋め込むようにして安定支持をするようにしている。しかしながらこの端片部を、レール本体の溝底にまで至る長いものとした場合、凹溝部の両側片部と端片部とのあいだにモルタルが入りづらくなり、そこで端片部を、凹溝部の溝底部よりもより短い（浅い）ものにしている。
このためこのレール本体を床置き式に採用した場合、端片部の下端が床面に当接しない（達しない）状態となって不安定化し、そこで前記従来のものは、この端片部を、傾斜部材の端部に端片部を溶着（溶接）することで支持固定する構成にしていた。
ところがこのような溶接作業を現場で行うことは難しく、特に、開き戸式の既存の戸体を引き戸式の戸体に改装するような場合、作業の簡略化を図るため、螺子固定の作業だけで済ませたいが、レール本体の傾斜部材への固定のため溶着作業が強いられることになって、作業性が劣るという問題がある。
そこでレール本体を工場で傾斜部材に溶着したものを現場に搬入する、ということも提案されるが、ガイドレール自体長物であるから、レール本体の前後両側に傾斜部材が溶着された幅広のものを現場に搬入するには搬送スペースが広く必要なだけでなく、手間もかかり、搬送コストが高くなるという問題がある。
そのうえ溶着するものであるから、傾斜部材が変形したりした場合に、変形した傾斜部材だけを交換するということはできず、ガイドレール全体を交換しなければならないという問題等もあり、これらに本発明が解決せんとする課題がある。
【課題を解決するための手段】
【０００５】
本発明は、上記の如き実情に鑑みこれらの課題を解決することを目的として創作されたものであって、請求項１の発明は、左右方向に開閉移動する引き戸式の戸体の下框から垂下される被ガイド体を前後方向に振れ止めする状態でガイドするべく床面上に設置される床置き式ガイドレールであって、該ガイドレールを、被ガイド体がガイドされる凹溝状のガイド部、該ガイド部の前後両上端縁から前後方向外方に向けて延設する頂片部、該頂片部の前後両端縁から下方に向けて垂下する端片部を備えて構成されるレール本体と、該レール本体の前後方向両側に配され、頂片部に隣接する前後方向内端縁が該頂片部の高さとなり、前後方向外端縁が床面にまで至るよう傾斜した傾斜部材とを備えて構成すると共に、前記端片部の下端縁を、ガイド部の溝底片よりも高位になるよう設定してなる床置き式ガイドレールにおいて、該ガイドレールには、前記端片部の下端縁が上側から当接することで該端片部の支持をするための支持片部が設けられていることを特徴とする床置き式ガイドレールである。
請求項２の発明は、支持片部には、床面に当接する補助脚片が設けられていることを特徴とする請求項１記載の床置き式ガイドレールである。
請求項３の発明は、傾斜部材には、レール本体頂片部と同高さとなる状態で頂片部に隣接するガイド片が形成され、該ガイド片には、床面に当接する第一脚片が設けられ、該第一脚片に支持片部が一体に設けられていることを特徴とする請求項１または２記載の床置き式ガイドレールである。
請求項４の発明は、第一脚片は、端片部の前後方向外側面に当接することで該端片部の支持をしていることを特徴とする請求項３記載の床置き式ガイドレールである。
請求項５の発明は、支持片部および補助脚片は、第一脚片からガイド部側に向けて逆Ｌ字状に延出形成されていることを特徴とする請求項２、３または４記載の床置き式ガイドレールである。
請求項６の発明は、傾斜部材は、レール本体頂片部と同高さとなる状態で頂片部に隣接するガイド片および該ガイド片から端片部の前後方向外側面に当接するよう垂下して該端片部の支持をする第一脚片が設けられるベース本体部と、端片部の下端縁が上側から当接する支持片部および第一脚片が上側から当接することで該第一脚片を支持する第二の支持片部を有したレール受け部とを備えて構成されていることを特徴とする請求項１記載の床置き式ガイドレールである。
請求項７の発明は、傾斜部材は、端片部の下端縁が上側から当接することで該端片部を支持する支持片部と、該支持片部から端片部の少なくとも前後方向一側面に当接するよう上側に突出して該端片部の支持をする支持面部と、支持片部から床面に当接するようにして設けられる脚片とを備えて構成されることを特徴とする請求項１記載の床置き式ガイドレールである。
【発明の効果】
【０００６】
請求項１の発明とすることにより、床置く式のガイドレールのレール本体を、端片部下端縁がガイド部溝底片よりも高位にある埋設式のレものと共通するものを用いながら、該端片部は、ガイドレールに設けた支持片部に上側から当接して支持されることになるため、組込み時に溶接する等の手間がいらないだけでなく、メンテナンス性も向上する。
請求項２の発明とすることにより、端片部の支持をする支持片部は、補助脚片により床面に支持されることになる結果、端片部の支持がより確実になる。
請求項３の発明とすることにより、傾斜部材に、頂片部と同高さのガイド部が隣接する状態で設けられ、このガイド部に第一脚片が設けられ、この第一脚片に支持片部が一体に設けられているため、支持片部を個別部材として取り扱う必要がなく、組付け性が向上する。
請求項４の発明とすることにより、第一脚片が端片部に当接することになってさらに確実な端片部の支持を達成することができる。
請求項５の発明とすることにより、支持片部は、第一脚片と補助脚片とにより床面に支持されることになって、より確実な端片部の支持ができることになる。
請求項６の発明とすることにより、支持片部が設けられるレール受け部を専用部品として用いながら、該レール受け部は、ベース本体部の第一脚片も支持することになって強度アップが図れることになる。
請求項７の発明とすることにより、端片部は、傾斜部材に設けた支持片部と、該支持片部から上側に突出する支持面部とにより支持されることになって確実な端片部の支持ができることになる。
【図面の簡単な説明】
【０００７】
【図１】引き戸式の戸装置の正面図である。
【図２】第一の実施の形態の引き戸式と装置の縦断面図である。
【図３】同上、ガイドレール部位の縦断面図である。
【図４】第二の実施の形態のガイドレール部位の縦断面図である。
【図５】第三の実施の形態のガイドレール部位の縦断面図である。
【図６】第四の実施の形態のガイドレール部位の縦断面図である。
【図７】第五の実施の形態のガイドレール部位の縦断面図である。
【発明を実施するための形態】
【０００８】
以下、本発明の実施の形態について、図面に基づいて詳細に説明する。図２、３は第一の実施の形態を示すものであって、図中、１は両引き戸式の戸体であって、該戸体１の上框１ａには、ブラケット１ｂを介してローラ２が設けられ、該ローラ２は、上枠３の正面板３ａにビス４ａを介して取付けられたケーシング４に内装されるハンガーレール５を転動することにより左右方向（見付け方向）に移動して開口部Ｋの開閉をするようになっている。
前記ケーシング４には、電動モータ６が内装され、該電動モータ６に連動連結される駆動スプロケット７には無端のベルト８が懸回されると共に、該ベルト８は前記ブラケット１ｂを介して戸体上框１ａに連結されている。そして電動モータ６の正逆駆動に伴うベルト８の移動に連動して戸体１が前記開閉移動すること等は、何れも従来通りである。尚、本発明は電動開閉式でなく手動開閉式のものであっても実施することができることは言うまでもない。
【０００９】
戸体１の下框１ｃには被ガイド体１ｄが垂設されるが、該被ガイド体１ｄが床面Ｆ上に設けられる床置き式のガイドレール９に前後方向（見込方向）の振れ止めがなされる状態で左右ガイドされる構成になっており、この床置き式ガイドレール９の具体的構成について以下に詳述する。
【００１０】
前記ガイドレール９は、前記被ガイド体１ｄが左右方向移動自在に内嵌されるレール本体１０と、該レール本体１０の前後両側に設けられる傾斜部材１１とで側面視山形状に形成され、これによってガイドレールを通過するものがレール本体１０に引っ掛からないように構成されている。
【００１１】
レール本体１０は、凵溝状のガイド部１０ａと、該ガイド溝１０ａの両上端縁から前後方向平板状に延設する頂片部１０ｂと、該頂片部１０ｂの前後両端縁から下方に向けて垂下（折曲）する端片部１０ｃとを備えて構成されるが、端片部１０ｃの下端縁１０ｄは、ガイド部１０ａの溝底片１０ｅよりも上側に位置する（高い位置に位置する）よう構成され、これによりレール本体１０は、埋込み式のレール本体と兼用されるように構成なっており、そしてガイド部１０ａの溝底片１０ｅは螺子９ａを介して床面Ｆに固定されようになっている。
【００１２】
また傾斜部材１１は、本実施の形態では床面Ｆに固定されるベース部材１２と、該ベース部材１２の前後方向中間部に上側から載置される状態で設けられる蓋部材１３と、ガイドレール９の前後端縁部側に位置する状態でベース部材１２に固定されるアタッチメント１４とにより構成されるが、ベース部材１２は、レール本体頂片部１０ｂに隣接し、かつ該頂片部１０ｂと同高さとなる状態で設けられるガイド片１２ａと、該ガイド片１２ａよりも前後方向外側に位置する状態で、ガイド片１２ａに対して段差状に低くなったものが、さらに前後方向外側に行くほど徐々に低くなるよう傾斜して端縁１２ｃが床面Ｆに達するベース片部１２ｂとを備えて構成される。このベース片部１２ｂには、前後方向二箇所に凹溝状になっていて溝底片が床面Ｆに当接する第一、第二の支持溝部１２ｄ、１２ｅが形成されるが、前後方向内側の第一支持溝部１２ｄは螺子９ａを介して床面に固定され、外側の第二支持溝部１２ｅはアタッチメント１４の固定片１４ａが上側に積層する状態で螺子９ａを介して床面Ｆに固定されるようになっている。
【００１３】
前記ガイド片１２ａには、下端縁が床面Ｆに当接する第一、第二の脚片１２ｆ、１２ｇが垂設されるが、第一脚片１２ｆは、ガイド片１２ａの前後方向内端縁から下方に向けて折曲するように形成されている。そして第一脚片１２ｆには、上下方向中間部であって、レール本体１０の端片部下端縁１０ｄ位置からガイド部１０ａ側に向けて延出する支持片部１２ｈと、該支持片部１２ｈの前後方向内端縁から下方に向けて折曲され、下端縁が床面Ｆに当接する補助脚片１２ｉとが逆Ｌ字形になって形成されている。
そして支持片部１２ｈには端片部１０ｃの下端縁１０ｄが上側から当接し、これによって端片部１０ｃの支持をするようになっているが、さらに第一脚片１２ｆの支持片部１２ｈよりも上側部位が、端片部１０ｃの前後方向外側面部に面接触（当接）をし、これによってさらに端片部１０ｃの支持をするようになっている。
【００１４】
一方、第二脚片１２ｇは、ガイド片１２ａの前後方向中間部から垂設されているが、第二脚片１２ｇの上下方向中間位置（本実施の形態では支持片部１２ｈと同じ高さ）からは、前記ベース片部１２ｂの前後方向前端縁部が延設されている。
そしてベース部材１２は、レール本体端片部１０ｃが第一脚片１２ｆの前後方向内面に当接する状態でセットし、前述したようにネジ９ａで床面Ｆに固定されることになるが、このようにセット固定することで、レール本体端片部１０ｃは、第一脚片１２ｆに面接触し、かつ下端縁１０ｄが支持片部１２ｈに上側から当接する状態で支持され、これによって強固な支持がなされるようになっている。
【００１５】
また、アタッチメント１４は、前述した固定片１４ａと、後述する蓋部材１３の前後方向全端縁に上側から係止する係止部１４ｂと、該係止部１４ｂから前後方向外側ほど低く傾斜して端縁が床面Ｆに当接する傾斜部１４ｃとを備えて構成されている。
そしてアタッチメント１４は、前記セット固定されたベース部材第二支持溝部１２ｅの溝底片に固定部１４ａを上側から積層した状態で螺子９ａを介して第二支持溝部１２ｅと共に床面Ｆに固定されるようになっている。
【００１６】
さらに前記蓋部材１３は、ベース部材第二脚片１２ｇからベース片部１２ｂの延出する延出片部１２ｊに上側から当接してビス９ｂを介して固定される固定片１３ａと、ベース部材ガイド片１２ａの前後方向外端縁から間隙Ｓを存する状態で、かつ該ガイド片１２ａと略同高さとなる状態から前後方向外側ほど低く傾斜し、前後方向外端が前記アタッチメント係止部１４ｂと略同高さとなって係脱自在に係止する係止受け部１３ｂが形成された傾斜面部１３ｃとから形成されている。
そして蓋部材１３は、レール本体１０、ベース本体１２、アタッチメント１４が螺子９ａを介して固定された状態で、係止受け部１３ｂを係止部１４に係止すると共に、固定部１３ａを第二支持溝部１２ｅに嵌合する状態で、ビス９ｂを介して第二支持溝部１２ｅの溝底部に固定するようになっている。
因みに、本実施の形態の蓋部材１３は、傾斜面部１３ｃの上面に滑り止め用の突起（突条でも良い）１３ｄが設けられている。
尚、図中、１５は間隙Ｓを塞ぐためのシール材、Ｘはフィックス窓、Ｒは欄間である。
【００１７】
叙述のごとく構成された本発明の実施の形態において、床置き式のガイドレール９は、レール本体１０と傾斜部材１１とにより側面視で山形状になっているため、足が引っ掛かったりすることが回避されるが、この場合に用いられるレール本体１０は、凹溝状のガイド部１０ａと、該ガイド部１０ａの状端縁から前後方向に水平状に延びる頂片部１０ｂと、該頂片部１０ｂの前後端縁から下方に垂下する端片部１０ｃとからなり、そして端片部１０ｃの下端縁１０ｄがガイド部１０ａの溝底片１０ｅよりも行為にある埋込み式のガイドレールとして使用するものが兼用される状態で用いられるが、この場合の端片部１０ｃは、傾斜部材１１の構成部材であるベース部材１２に設けた支持片部１２ｈに上側から当接することで支持されることになるため、従来のもののように溶接をする必要がなく、組立て性が向上すると共に、例えばレール本体１０が変形したような場合においては、レール本体のみを交換するだけで良いことになってメンテナンス性も向上する。
【００１８】
しかも支持片部１２ｈには、床面Ｆに当接する補助脚片１２ｉが設けられていることで、床面Ｆによる支持が受けられることになって、端片部１０ｃの支持がより確かなものになる。そのうえ端片部１０ｈは、ベース部材１２のガイド片１０ａから垂下する第一脚片１２ｆに面接触する状態で当接しているから、この第一脚片１２ｆによる支持も受けることになって端片部１０ｃの支持がより確実になる。
【００１９】
尚、本発明は前記実施の形態に限定されるものでないことは勿論であって、図４に示す第二の実施の形態のように、蓋部材１６としては、傾斜面部１６ｃの上面に滑り止め用のシート材１６ｄを設けたり、傾斜面部を深いものとし、ここに肉厚なモヘヤシートを敷設するようにしてもよい。
【００２０】
さらに図５に示す第三の実施の形態のものは、傾斜部材１１として、レール本体頂片部１０ｂと同高さとなる状態で該頂片部１０ｂに隣接するガイド片１７ａおよび該ガイド片１７ａから端片部１０ｃの前後方向外側面に当接するよう垂下して該端片部１０ｃの支持をする第一脚片１７ｆが設けられるベース本体部１７と、端片部１０ｃの下端縁１０ｄが上側から当接する支持片部１８ａおよび第一脚片１７ｆが上側から当接することで該第一脚片１７ｆを支持する第二の支持片部１８ｂと、床面Ｆに当接して螺子９ａで固定される固定片部１８ｃとを有したレール受け部１８とを備えて構成したものであって、このようにしても実施することができる。
【００２１】
また図６に示す第四の実施の形態のものは、傾斜部材１１を構成するベース部材１９の変形例であり、該ベース部材１９は、端片部１０ｃの下端縁１０ｄが上側から当接することで該端片部１０ｃを支持する支持片部１９ａと、該支持片部１９ａから端片部１０ｃの前後方向両側面に当接するよう上側に突出して該端片部１０ｃの両面支持をする支持面部１９ｂ、１９ｃと、支持片部１９ａから床面Ｆに当接するようにして設けられる脚片１９ｄとを備えて構成したものであり、このようにしても実施することができる。
【００２２】
また図７に示す第五の実施の形態のものは、前記第四の実施の形態のさらなる変形例であるが、ここに用いられるベース部材２０は、端片部１０ｃの下端縁１０ｄが上側から当接することで該端片部１０ｃを支持する支持片部２０ａと、該支持片部２０ａから端片部１０ｃの前後方向内側面に当接するよう上側に突出して該端片部１０ｃの面支持をする支持面部２０ｂと、支持片部２０ａから床面Ｆに当接するようにして設けられる脚片２０ｃとを備えて構成したものであり、このようにしても実施することができる。
尚、本発明は、開き戸方式の戸体を引き戸方式の戸体に改装したときのガイドレールとしても使用することができる。
【産業上の利用可能性】
【００２３】
本発明は、戸体が左右に開閉移動する引き戸方式のものにおいて、床置き式ガイドレールとして利用することができる。
【符号の説明】
【００２４】
１  戸体
１ｃ  下框
１ｄ  被ガイド体
９  ガイドレール
１０  レール本体
１０ａ  ガイド部
１０ｂ  頂片部
１０ｃ  端片部
１０ｄ  端片部下端縁
１０ｅ  溝底片
１１  傾斜部材
１２  ベース部材
１２ａ  ガイド片
１２ｂ  ベース片部
１２ｆ  第一脚片
１２ｈ  支持片部
１２ｉ  補助脚片
１３  蓋部材
１４  アタッチメント
１６  蓋部材
１７  ベース本体部
１８  レール受け部
１９  ベース部材
Ｋ  開口部
Ｆ  床面
【図１】
2018035552.tif 000003
【図２】
2018035552.tif 000004
【図３】
2018035552.tif 000005
【図４】
2018035552.tif 000006
【図５】
2018035552.tif 000007
【図６】
2018035552.tif 000008
【図７】
2018035552.tif 000009